(57)【特許請求の範囲】
【請求項１】
底部に切欠部を備え記録媒体を支持する複数の記録媒体支持部が放射状に列設され記録媒体を収納する記録媒体収容手段と、
ディスクが上記記録媒体収容手段に収容されているかを検出する検出手段と、
上記記録媒体収容手段に収納される記録媒体のうち所望の記録媒体を上記所望の記録媒体が支持される記録媒体支持部から取り出すローディング手段と、
上記ローディング手段に対する上記所望の記録媒体が収納される記録媒体支持部の位置が合うように上記記録媒体収納手段の位置を合わせる搬送手段と、
上記ローディング手段によってローディングされた記録媒体の記録及び／又は再生を行う記録及び／又は再生手段と、
一端が回動可能に支持されており、上記放射状に列設される記録媒体支持部の中心方向である内周方向に上記一端を中心に回動することで、他端が上記切欠部から侵入し上記記録媒体収容手段の記録媒体支持部に支持される記録媒体のうち所望の記録媒体を押し出す押出レバーを備える記録媒体排出手段と、
を備える記録及び／又は再生装置。
【請求項２】
請求項１記載の記録及び／又は再生装置において、
上記記録媒体排出手段は、
上記押出レバーの突設部の上記切欠部への挿脱を操作するレバー操作部  
を備えること
を特徴とする記録及び／又は再生装置。
【請求項３】
請求項１記載の記録及び／又は再生装置において、
上記押出レバーは、上記記録媒体支持部内に支持されている上記記録媒体の最下端であると共に上記放射状に列設される記録媒体支持部の中心方向である内周側を押し上げる  
ことを特徴とする記録及び／又は再生装置。
【請求項４】
請求項１記載の記録及び／又は再生装置は更に、
上記所望の記録媒体と上記所望の記録媒体の両側に支持される記録媒体との間隔を押し広げる記録媒体間隔押広手段
を備えることを特徴とする記録及び／又は再生装置。
【請求項５】
請求項１記載の記録及び／又は再生装置は更に、
上記記録媒体収容手段と係合し上記位置合わせされた上記所望の記録媒体が収納される記録媒体支持部と上記ローディング手段との位置を固定する記録媒体収容手段係合部を備え、
上記記録媒体収容手段係合部が上記記録媒体収容手段に係合することで上記位置合わせされた上記記録媒体収容部と上記ローディング手段との位置を固定し、上記記録媒体間隔押広手段が上記所望の記録媒体の両側に支持される記録媒体を上記所望の記録媒体から上記記録媒体の両側に支持される記録媒体の方向に向けて押圧することで、上記両側に支持される記録媒体の間隔を押し広げることを特徴とする記録及び／又は再生装置。
【請求項６】
請求項１記載の記録及び／又は再生装置において、
上記記録及び／又は再生手段は、
記録媒体収容手段に収容されている記録媒体の間に上記所望の記録媒体の一側部が残っている位置において上記記録媒体をチャッキングして記録及び／又は再生を行い、
上記記録媒体間隔押広手段は、上記所望の記録媒体が上記記録及び／又は再生手段にチャッキングされるときに、上記記録及び／又は再生手段にチャッキングされる上記所望の記録媒体と上記記録媒体収容手段に収容され上記所望の記録媒体の両側に支持される記録媒体との間隔を保持することで、上記記録及び／又は再生手段にチャッキングされる上記所望の記録媒体と上記記録媒体収容手段に収容され上記所望の記録媒体の両側に支持される記録媒体とを非接触状態に保つことを特徴とする
請求項１記載の記録及び／又は再生装置。
【発明の詳細な説明】
【０００１】
【発明の属する技術分野】
本発明は、光ディスクや光磁気ディスク等の円盤状記録媒体を記録媒体に用いる記録及び／又は再生装置に関し、特に、多数枚の円盤状記録媒体が支持された円盤状記録媒体保持テーブルから１枚の円盤状記録媒体を取り出し、この取り出した円盤状記録媒体に記録されている楽音信号等の情報信号の再生を行い、あるいは上記円盤状記録媒体に楽音信号等の情報信号の記録を行う記録及び／又は再生装置に関する。
【０００２】
【従来の技術】
上記記録及び／又は再生装置として図３５に示したものが知られている。
【０００３】
上記記録及び／又は再生装置１は、第１〜第ｎ番地までの多数の円盤状記録媒体支持部２２…２２が列設されていて、これら支持部２２…２２に円盤状記録媒体２０１の一端部を片持支持する円盤状記録媒体収容手段２と、上記円盤状記録媒体収容手段２の上記第１〜第ｎ番地の内の所望の番地の支持部内円盤状記録媒体２０１を取り出すローディング手段６と、上記所望の番地の支持部内の円盤状記録媒体２０１を上記ローディング手段６の位置に合わせる搬送手段３と、上記位置合わせされた円盤状記録媒体収容手段２とローディング手段６の位置を固定するロック手段４と、上記ローディング手段６によってローディングされた円盤状記録媒体２０１の記録及び／又は再生を行う記録及び／又は再生手段８とを備えている。
【０００４】
上記円盤状記録媒体収容手段２は、軸２３を中心にして回転する回転テーブル２１の上面の半径方向に溝状の円盤状記録媒体支持部２２…２２を設けることにより構成されている。そして、上記溝状の円盤状記録媒体支持部２２…２２に円盤状記録媒体２０１の下端部を嵌合することにより、これら円盤状記録媒体２０１…２０１を略垂直に立てた状態で片持ち支持した回転テーブル２１は、上記搬送手段３によって回転駆動されて、所望の番地の円盤状記録媒体２０１を上記ローディング手段６の位置に移動させるようになっている。
【０００５】
上記ローディング手段６は、上記回転テーブル２１の外周側に配置されていて、上記ロック手段４によってロックされた回転テーブル２１の第１〜第ｎ番地のうちの所望の番地の円盤状記録媒体２０１の外周を一対のアームでクランプして上記溝状の支持部２２から取り出して、上記記録及び／又は再生手段８にチャッキングされるローディング位置まで上記円盤状記録媒体２０１を移動させるようになっている。
【０００６】
上記搬送手段３は、上記回転テーブル２１の外周部に設けたギヤ歯３１…３１と噛合するギヤ４１を備えていて、該ギヤ４１をモータ４４で回転させることにより上記回転テーブル２１を駆動させるようになっている。
【０００７】
上記ロック手段４は、上記回転テーブル２１の外周部に設けたギヤ歯３１…３１と係合するテーブル係合部５１を有していて、該テーブル係合部５１を上記ギヤ歯３１…３１に係合させることにより上記回転テーブル２１を回転不可能にロックするようになっている。
【０００８】
上記記録及び／又は再生手段８は、ディスクテーブル１４１や光ピックアップ装置１４２等を備えた回転／信号検出用の第１のフレーム部１４３と、クランパー１４４を備えたチャッキング用の第２のフレーム部１４５とを備えている。そして、上記所望の番地の円盤状記録媒体２０１が上記ローディング手段６によってローディング終了位置まで移動してくると、上記第１のフレーム部１４３と第２のフレーム部１４５とが互いに接近していって、上記ディスクテーブル１４１側にクランパー１４４が磁気吸引されて、上記ローディング手段６にクランプされている円盤状記録媒体２０１が上記ディスクテーブル１４１上に上記クランパー１４４でチャッキングされるようになっている。
【０００９】
【発明が解決しようとする課題】
本発明は、底部に切欠部を備え記録媒体を支持する複数の記録媒体支持部が放射状に列設され記録媒体を収納する記録媒体収容手段と、ディスクが上記記録媒体収容手段に収容されているかを検出する検出手段と、上記記録媒体収容手段に収納される記録媒体のうち所望の記録媒体を上記所望の記録媒体が支持される記録媒体支持部から取り出すローディング手段と、上記ローディング手段に対する上記所望の記録媒体が収納される記録媒体支持部の位置が合うように上記記録媒体収納手段の位置を合わせる搬送手段と、上記ローディング手段によってローディングされた記録媒体の記録及び／又は再生を行う記録及び／又は再生手段と、一端が回動可能に支持されており、上記放射状に列設される記録媒体支持部の中心方向である内周方向に上記一端を中心に回動することで、他端が上記切欠部から侵入し上記記録媒体収容手段の記録媒体支持部に支持される記録媒体のうち所望の記録媒体を押し出す押出レバーを備える記録媒体排出手段と、を備えた円盤状記録媒体の記録及び／又は再生装置であって、
上記円盤状記録媒体排出手段により、所望の円盤状記録媒体支持部内から円盤状記録媒体を押し出して、容易に取り出すことができるようにした。
【００１０】
本発明は、上記従来の問題点を解決し、所望の番地の円盤状記録媒体を確実、容易に取り出すことができるようにしたものである。
【００１１】
【課題を解決するための手段】
本発明は、第１〜第ｎ番地までの多数の円盤状記録媒体支持部が列設されていて、これら支持部に円盤状記録媒体の一端部を片持支持するの円盤状記録媒体収容手段と、上記円盤状記録媒体収容手段の上記第１〜第ｎ番地の内の所望の番地の円盤状記録媒体を取り出すローディング手段と、上記所望の番地の円盤状記録媒体を上記ローディング手段の位置に合わせる搬送手段と、上記ローディング手段によってローディングされた円盤状記録媒体の記録及び／又は再生を行う記録及び／又は再生手段とを備えた円盤状記録媒体の記録及び／又は再生装置において、
上記溝状の円盤状記録媒体支持部の底部に設けた切欠部から上記支持部内に侵入して円盤状記録媒体を押し出す円盤状記録媒体排出手段を設けることにより、上記円盤状記録媒体排出手段により所望の番地内の円盤状記録媒体を容易に取り出すことができるようにした。
【００１２】
【発明の実施の形態】
次に、本発明の円盤状記録媒体（以下、ディスクという）の記録及び／又は再生装置（以下、記録再生装置という）１を、（１）装置全体の概略構成及び作用、（２）円盤状記録媒体収容手段（以下、ディスク収容手段という）の構成、（３）搬送手段の構成、（４）ロック手段の構成、（５）円盤状記録媒体間隔押広手段（以下、ディスク間隔押広手段という）の構成、（６）ローディング手段の構成、（７）円盤状記録媒体ホールド手段（以下、ディスクホールド手段という）の構成、（８）記録及び／又は再生手段（以下、記録再生手段という）の構成、（９）円盤状記録媒体有無検出手段（以下、ディスク有無検出手段という）の構成、（１０）番地検出手段の構成、（１１）円盤状記録媒体排出手段（以下、ディスク排出手段という）の構成、（１２）作用、（１３）変形例の順で説明する。
【００１３】
（１）装置全体の概略構成及び作用
図１〜４に示したように、本発明の記録再生装置１は、ディスク２０１の下端部を片持ち支持する第１〜第３００番地までの３００のディスク支持部２２…２２を有するディスク収容手段２と、上記ディスク支持手段２を回転駆動させて所望の番地のディスク２０１をローディング開始位置（アンローディング終了位置）に搬送する搬送手段３と、上記所望のディスク２０１をディスクローディング開始位置に合わせた状態で上記ディスク収容手段２をロックするロック手段４と、上記ロック手段４により位置決めされた上記ディスク収容手段２の上記ローディング開始位置にあるディスク２０１をローディング終了位置に移送するローディング手段６と、上記ローディング手段６によってローディング終了位置に移送されて来たディスク２０１の記録再生を行う記録再生手段８を備えている。
【００１４】
また、上記記録再生装置１は、上記搬送手段３によって上記ローディング開始位置に搬送されてきた所望のディスクとその両側部のディスクの間に侵入して、これら両側部のディスクの間隔を押し広げることにより、上記所望のディスクを上記ローディング手段６によりクランプしやすくするためのディスク間隔押広手段５を備えているとともに、上記ローディング手段６と記録再生手段８の間には、上記ローディング手段６によってローディング終了位置まで移送されてきて、該ローディング手段６によるクランプを解除されたディスク２０１を上記記録再生手段８にチャッキングされる前に一時的に支持するディスクホールド手段７を備えている。
【００１５】
また、上記記録再生装置１は、上記ディスク支持手段２の所望の番地にディスクが支持されているか否かを検出するディスク有無検出手段９と、上記所望の番地を検出して、上記搬送手段３を駆動制御する番地検出手段１０を有している。また、上記記録再生装置１は、記録再生時に異常が発見されたディスクなど所望のディスクを取り出すためのディスク排出手段１９を有している。
【００１６】
上記記録再生装置１は、制御パネル（図示省略）を操作し記録再生モードにして、記録再生を行おうとする所望のディスクが支持されているディスク支持部の番地をインプットすると、上記搬送手段３によって上記ディスク収容手段２が回転して、上記インプットされた番地にディスクが支持されているか否かがディスク有無検出手段９によって検出されるとともに、上記番地検出手段１０によってインプットされた番地のディスクが上記ローディング手段６の位置まで回転移動してきて上記搬送手段３による上記ディスク収容手段２の回転が停止される。
【００１７】
そして、上記ローディング手段４によって、上記ディスク収容手段２が回転不可能にロックされるとともに、上記ディスク間隔押広手段５が作動し、上記所望のディスクとその両側部のディスクの間に侵入して、これら両側部のディスクの間隔を押し広げる。
【００１８】
そして、上述したように両側部のディスク間隔を広げた状態の下で、これら両側部のディスクの中央部にある所望のディスクは、上記ローディング手段６によってクランプされて上記ローディング開始位置からローディング終了位置まで移送される。
【００１９】
上記、ローディング手段６によってローディング終了位置まで移送されたディスクは、上記ローディング手段６によるロックを解除され、上記ディスクホールド手段７上に載置され、該ディスクホールド手段７により位置決めされた状態になる。
【００２０】
そして、上記ディスク２０１は、上記記録再生手段８によってチャッキングされて、記録及び／又は再生が行われるようになっている。
【００２１】
記録及び／又は再生が終了すると、上記記録再生手段８のチャッキングを解除されたディスクは、一旦上記ディスクホールド手段７に載置されたのち、上記ローディング手段６によってクランプされ、アンローディングされて上記ディスク収容手段２のディスク支持部に戻されるようになっている。また、所望の番地のディスクを取り出す場合には、上記制御パネルを操作しディスク取出モードにし上記所望の番地をインプットして、排出スタートボタンを押すと上記回転テーブル２１が回転して上記番地検出手段１０によって検出された所望の番地のディスクが上記ディスク排出手段１９の略真上に来て停止し、上記ディスク排出手段１９が上記支持部２２内に侵入してディスク２０１の下端を押し上げて、該ディスク２０１を他のディスク２０１よりも外側に押し出して取り出しやすいものにする。
【００２２】
（２）ディスク収容手段２の構成
上記ディスク支持手段２は、シャーシ１１に立設した軸１２を中心にして回転する円形状の回転テーブル２１の上面の半径方向に第１〜第３００番地までの３００個のディスク支持部２２…２２を設けることにより形成されている。
【００２３】
上記回転テーブル２１は、中央部に軸受部２３を有し、最外周部に番地表示部２４を有し、上記軸受部２３と番地表示部２４との間には、上記ディスク２０１の外周の曲率と略同じ曲率の円弧状面２５を有している。
【００２４】
図５に示したように、上記第１〜第３００番地までのディスク支持部２２…２２は、上記円弧状面２５の上面に放射状のリブ２６…２６を立設することにより、これらリブ２６，２６間に形成されている。
【００２５】
上記第１〜第３００番地までのディスク支持部２２…２２は、上記回転テーブル２１の円弧状面２５上に３６０°／３００°の角間隔をもって放射状に形成されていて、上記ディスク２０１の下端部を嵌合することにより、上記ディスク２０１を略垂直に立てた状態で片持ち支持するようになっている。
【００２６】
図６は、上記回転テーブル２１を裏返して見た平面図である。上記回転テーブル２１の底面には、中央の円錐台形状の軸受部２３を中心にして内周側から外周側に向けて同心円状に第１〜第４の環状凸起２７〜３０が設けられている。
【００２７】
最外周の第４の環状凸起３０は、次に説明する搬送手段３のテーブル駆動ギヤが噛合するギヤ歯３１…３１を外周面に有している。
【００２８】
上記第３の環状凸起２９は、上記番地に対応する数のスリット２９ａ…２９ａ（以下、小番地検出用のスリットという）が設けられている。上記第２の環状凸起２８は、大きさの異なる１０個のスリット（以下、大番地検出用のスリットという）２８ａ〜２８ｊが設けられている。また、最内周の第１の環状凸起２７は、回転テーブル２１を円滑に回転させるためのものである。
【００２９】
図６〜７に示したように、上記回転テーブル２１は、上記軸受部２３に上記シャーシ１１に設けた円錐台形状の軸１２を挿入するとともに、上記第１の環状凸起２７を上記シャーシ１１に設けたテーブル支持ローラ１３…１３に載置することによりシャーシ１１に回転自在に取り付けられていて、次に説明する搬送手段３で回転駆動されるようになっている。
【００３０】
（３）搬送手段３の構成
図３に示したたように、搬送手段３は、上記回転テーブル２１の第４の環状凸起３０の外周面に設けられたギヤ歯３１…３１と噛合するテーブル駆動ギヤ４１と、ギヤトレイン４２と、駆動用ベルト４３と、モータ４４とを備えている。
【００３１】
そして、上記モータ４４により、駆動ベルト４３，ギヤトレイン４２を介して、上記テーブル駆動ギヤ４１を回転させることにより、上記回転テーブル２１を回転させるようになっている。
【００３２】
上記モータ４４は、番地検出手段１０によって制御され、所望の番地のディスク２０１がローディング手段６の位置に移動してきたときに、駆動を停止するようになっている。
【００３３】
（４）ロック手段４の構成
図８〜１０に示したように、ロック手段４は、上記回転テーブル２１の第４の環状凸起３０の外周面に設けられたギヤ歯３１…３１と係合するテーブル係合部５１を設けたロックレバー５２を備えている。
【００３４】
上記ロックレバー５２は、軸５３に回動可能に取り付けられていて、該軸５３を中心にして一方向に回動させると、上記テーブル係合部５１が上記ギヤ歯３１…３１に係合して回転テーブル２１をロックするようになっているとともに、他方向に回動させると上記テーブル係合部５１と上記ギヤ歯３１…３１の係合が外れて、上記回転テーブル２１のロックが解除されるようになっている。上記軸５３は、一対の軸受５４，５５を介してプラスチック製のベースプレート５６上に支持されている。上記プラスチック製のベースプラスチック５６は、シャーシ１１上に取り付けられている。
【００３５】
上記ロックレバー５２は、上記軸５３を中心にして、上記テーブル係合部５１と略１２０°，２４０°の位置にそれぞれ逆Ｕ字状の第１，第２のスライドガイド部５７，５８を有している。
【００３６】
上記逆Ｕ字状の第１，第２のスライドガイド部５７，５８は、上記ベースプレート５６上に矢印Ａ−Ｂ方向にスライド可能に取り付けられたスライドプレート５９の上面に設けられたレール状のロックレバー支持部６０に跨がるように支持されている。
【００３７】
上記レール状のロックレバー支持部６０は、上記テーブル係合部５１を上記回転テーブル２１のギヤ歯３１…３１に係合させた状態に維持するためのロック部６１と、上記ロックレバー５２をロック解除方向に回動させて上記テーブル係合部５１と上記回転テーブル２１のギヤ歯３１…３１の係合を解除するためのロック解除部６２と、上記ロックレバー５２をロック解除状態からロック状態に回動させるためのロック操作部６３を備えている。
【００３８】
図９に示したように、上記逆Ｕ字状の第１のスライドガイド部５７が上記ロック解除部６３に位置している状態において上記ロックレバー５２はロック解除方向に傾斜して、上記テーブル係合部５１と上記回転テーブル２１のギヤ歯３１…３１の係合が外れた状態になっている。
【００３９】
この状態から上記スライドプレート５９を矢印Ｂ方向にスライドさせると、上記ロック操作部６３で上記第１のスライドガイド部５７の背面側が押圧され、上記ロックレバー５２はロック方向に回動して、図１０に示したように上記第１のスライドガイド部５７及び第２のスライドガイド部５８が上記ロック部６１上に載置されて上記ロックレバー５２は略垂直状に起立した状態となって上記テーブル係合部５１が回転テーブル２１のギヤ３１…３１と係合して、回転テーブル２１の回転を阻止するようになっている。
【００４０】
図８に示したように、上記スライドプレート５９は、スライドガイド用の長孔７１とピン７２によって、上記ベースプレート５６上にＡ−Ｂ方向にスライド可能に取り付けられている。
【００４１】
上記スライドプレート５９の一端部にはカム係合ピン７３が設けられている。
【００４２】
上記カム係合ピン７３は、カム７４の底面に設けられたスライドプレート操作用のカム溝７５に係合されている。
【００４３】
図１１は上記スライドプレート操作用のカム７４の底面図である。上記スライドプレート操作用のカム溝７５の一端部の第１溝部７５ａに上記カム係合ピン７３が位置している状態においては、上記スライドプレート５９は図８の矢印Ａ方向に最もスライドした状態になっていて、上記ロックレバー５２はロック解除状態になっている。この状態から上記カム７４を時計方向に回転させると、上記カム係合ピン７３は第２溝部７５ｂ内を移動し、該第２溝部７５ｂによって上記スライドプレート５９は、図８の矢印Ｂ方向はにスライドして、上記レール状のロックレバー支持部６０のロック操作部６３で上記ロックレバー５２をロック方向に回動させ、上記第１，第２のスライドガイド部５７，５８を上記ロックレバー支持部６０のロック部６１に乗り上げさせて、上記回転テーブル２１をロックする。
【００４４】
上記カム７４が更に時計方向に回転すると、上記カム係合ピン７３は上記第３の溝部７５ｃ内を移動するが、該第３の溝部７５ｃは、上記カム７４の回転軸７６を中心にして同一円周上に形成されているので、上記スライドプレート５９はスライドせずに停止した状態に維持される。上記カム係合ピン７３が上記第３の溝部７５ｃ内を移動している間に、上記カム７４の周面に設けたローディング手段回動操作用のカム溝７７（図８参照）で次に説明するローディング手段６の一対のローディングアーム９２，９３のディスククランプ部９１を図１７に示したアンローディング位置（待機位置）から図１８に示したローディング開始位置（ディスククランプ位置）に移動させる。
【００４５】
上記カム７４が更に時計方向に回転すると、上記カム係合ピン７３は第４の溝部７５ｄ内を移動し、上記スライドプレート５９を図８の矢印Ｂ方向にスライドさせる。このときのスライドプレート５９のスライドにより後に説明するローディング手段６の開閉機構１２１，１２２を操作して、一対のローディングアーム９２，９３を互いに接近する方向に移動させ、これら一対のローディングアーム９２，９３の先端に設けたディスククランプ部９１でディスクの表，裏面を挟むようにしてクランプする。
【００４６】
上記カム７４が更に時計方向に回転すると、上記カム係合ピン７３は第５の溝部７５ｅ内を移動するが、該第５の溝部７５ｅは、上記カム７４の回転軸７６を中心にして同一円周上に形成されているので、上記スライドプレート５９はスライドせずに停止した状態に維持される。上記カム係合ピン７３が上記第５の溝部７５ｅ内を移動している間に上記カム７４の周面に設けたローディング手段回動操作用のカム溝７７で上記ローディング手段６の回動機構１０１を操作して図２１に示したように、ローディングアーム９２，９３のディスククランプ部９１，９１とディスク２０１をローディング終了位置まで移送する。
【００４７】
上記カム７４が更に時計方向に回転すると、上記カム係合ピン７３は第６の溝部７５ｆ内を移動し、上記スライドプレート５９を図２２の位置までスライドさせる。この間に上記ローディング手段６の開閉機構１２１，１２２で上記一対のローディングアーム９２，９３のディスククランプ部９１を図２３に示したように互いに離間する方向に移動させて、ディスク２０１のロックを解除する。そして、上記カム係合ピン７３は、第７の溝部７５ｇ内に導入される。
【００４８】
（５）ディスク間隔押広手段５の構成
図８に示したように、ディスク間隔押広手段５は、上記ロックレバー５２のディスク係合部５１の上部にこれと一体に形成されたアーム部８１と、該アーム部８１の上部にこれと一体に形成されたディスク係合部８２を備えている。上記ディスク係合部８２は、ディスク２０１の肉厚よりも大きな隙間をもって配置された第１，第２のディスク当接片８３，８４を有している。
【００４９】
上記ディスク間隔押広手段５は、上記ロックレバー５２に連動して回動し、該ロックレバー５２のテーブル係合部５１が上記回転テーブル２１のギヤ歯３１…３１と係合するのと略同時に上記ディスク係合部８２で上記回転テーブル２１のローディング開始位置にある所望のディスクの両側部のディスク間隔を押し広げるようになつている。このとき、上記ローディング開始位置にある所望のディスクは、上記第１，第２のディスク当接片８３，８４間の隙間に、これら第１，第２のディスク当接片８３，８４に対して非接触状態に導入される。一方、上記第１，第２のディスク当接片８３，８４は、上記所望のディスクとその両側に支持されているディスクの間に侵入し、これら第１，第２のディスク当接片８３，８４の外側の傾斜面８３ａ，８４ａで上記両側のディスクを押圧して、これらディスクの間隔を押し広げるようになっている。
【００５０】
上記ディスク間隔押広手段５によって両側のディスク間隔を広げた状態で、これら両側のディスクの間のローディング開始位置にある所望のディスクを次に説明するローディング手段６によってクランプして、記録再生手段８側に移送するようになっている。
（６）ローディング手段６の構造
ローディング手段６は、上記ローディング開始位置にある所望のディスクの外周部の表，裏面を挟着してクランプするディスククランプ部９１を一端側に設けた第１，第２のローディングレバー９２，９３を備えている。
【００５１】
上記第１，第２のローディングレバー９２，９３の他端側には円筒状の軸受部９４が設けられていて、該軸受部９４を利用することにより、上記ロックレバー５２の両側部に上記軸５３に回動可能に、かつ軸の長さ方向に移動可能に取り付けられている。
【００５２】
上記、第１，第２のローディングレバー９２，９３は、上記軸５３に取り付けられたコイルスプリング９５によって、上記ロックレバー５２の両側面に押し付けられるようになっていて、押し付けられた状態において上記一対のディスククランプ部９１，９１で上記ディスクの表，裏面をクランプするようになっている。
【００５３】
上記第１のローディングレバー９２の上端部には結合ピン９７が設けられ、第２のローディングレバー９３の上端部にはピン嵌合孔９８が設けられている。
【００５４】
上記結合ピン９７は、上記ピン嵌合孔９８内に係合していて、上記第１のローディングレバー９２を次に説明するローディングレバー回動機構１０１で回動させると第２のローディングレバー９３も一体的に回動するようになっている。
【００５５】
上記ローディングレバー回動機構１０１は、第１の回動レバー１０２と、該第１の回動レバー１０２に取り付けられた第２の回動レバー１０３とを備えている。
【００５６】
上記第１の回動レバー１０２は、ネジ軸１０４によってフレーム１０５に回動可能に取り付けられている。上記フレーム１０５は、ネジ１０６によって、上記ベースプレート５６の台座１０７に取り付けられている。
【００５７】
上記第２の回動レバー１０３は、軸１０８により、上記第１の回動レバー１０２の一端側に回動可能に取り付けられている。
【００５８】
上記第２の回動レバー１０３は、上記軸１０８に取り付けられた捩りコイルばね１０９により回動力を付与されていて、自由端側に設けた被係合部１１０が上記第１の回動レバー１０２の一端部に設けた係合部１１１に押し付けられて更に回動を阻止されるようになっている。
【００５９】
上記第１の回動レバー１０２の一端部には、カム係合ピン１１２が設けられていて、該カム係合ピン１１２は、上記カム７４の周面に設けられたローディング手段回動操作用のカム溝７７内に挿入されている。
【００６０】
また、上記第２の回動レバー１０３の自由端側にはローディングレバー係合ピン１１３が設けられていて、該係合ピン１１３は、上記第１のローディングレバー９２の背面に設けた長孔１１４内に挿入されている。
【００６１】
図１２は上記カム７４の周面に設けられたローディング手段回動操作用のカム溝７７の展開図である。
【００６２】
上記カム溝７７は、水平状の第１の溝部７７ａと、該第１の溝部７７ａに連続する下り勾配状の第２の溝部７７ｂと、該第２の溝部７７ｂに連続する水平方向の第３の溝部７７ｃと、該第３の溝部７７ｃに連続する上り勾配状の第４の溝部７７ｄと、該第４の溝部７７ｄに連続する水平状の第５の溝部７７ｅと、該第５の溝部７７ｅに連続する上り勾配状の第６の溝部７７ｆと、該第６の溝部７７ｆに連続する水平状の第７の溝部７７ｇとを備えている。上記第１〜第７の溝部７７ａ〜７７ｇは、３６０°の範囲内に設けられている。
【００６３】
上記第１の溝部７７ａ内に上記回動機構１０１のカム係合ピン１１２が位置する場合には、図１６に示したように上記第１，第２のローディングレバー９２，９３のディスククランプ部９１は待機位置に停止している。
【００６４】
この状態から上記カム７４を回転させるとスライドプレート５９がスライドして図１７に示したようにロック手段４で回転テーブル２１をロックするとともに、ディスク間隔押広手段５でディスク間隔を押し広げる。
【００６５】
そして、上記カム係合ピン１１２が上記第２の溝部７７ｂの下端まで移動してくると上記第１，第２のローディングレバー９２，９３は回転テーブル２１側に回動して、図１８に示したように上記ディスククランプ部９１，９１が上記待機位置からローディング開始位置に移動する。
【００６６】
上記カム係合ピン１１２が上記第３の溝部７７ｃ内を移動している間は、上記ディスククランプ部９１，９１はローディング開始位置で停止している。
【００６７】
上記カム係合ピン１１２が上記第３，第４の溝部７７ｃ，７７ｄを経て、上記第５の溝部７７ｅに移動してくると、上記第１，第２のローディングレバー９２，９３が回転テーブル２１から離れる方向に回動して、図２１に示したように、上記ディスククランプ部９１，９１及びディスク２０１はローディング終了位置に移動する。
【００６８】
上記カム係合ピン１１２が上記第５の溝部７７ｅ内を移動している間は、上記ディスククランプ部９１，９１はローディング終了位置に停止している。
【００６９】
上記カム係合ピン１１２が上記第６の溝部７７ｆを通過して第７の溝部７７ｇまで移動してくると、図２５に示したように、上記ディスククランプ部９１，９１は上記ローディング終了位置から僅かに下降した最下降位置に移動する。
【００７０】
上記カム係合ピン１１２が上記第７の溝部７７ｇ内を移動している間は、上記ディスククランプ部９１，９１は最下降位置に停止している。
【００７１】
上記ローディング手段６は、ローディング開始位置において、上記第１，第２のローディングレバー９２，９３のディスククランプ部９１，９１を閉じてディスクをクランプし、ローディング終了位置において、上記ディスククランプ部９１，９１を開いて、上記ディスクのクランプを解除する第１，第２の開閉機構１２１，１２２を備えている。
【００７２】
図８に示したように、上記開閉機構１２１，１２２は、上記プラスチック製のベースプレート５６上に軸１２３によって回動可能に取り付けられた回動アーム１２４と、該回動アーム１２４の自由端側に立設されていて、先端が上記ローディングレバー９２，９３の軸受部９４の一端に設けられたピン当接部１２５の内面に当接している開閉操作ピン１２６と、上記開閉操作ピン１２６を上記軸５３の長さ方向に移動させる開閉操作用のカム溝１２７を備えている。
【００７３】
上記開閉操作用のカム溝１２７は、上記スライドプレート５９の上面に設けられていて、該溝１２７に沿って上記開閉操作ピン１２６を移動させるようになっている。
【００７４】
図１３に示したように、上記開閉操作用のカム溝１２７は、スライドプレート５９のスライド方向に伸びる第１の溝部１２７ａと、上記第１の溝部１２７ａに連続し、内側に向けて傾斜しながら伸びる第２の溝部１２７ｂと、該第２の溝部１２７ｂに連続していて、上記スライドプレート５９のスライド方向と略平行に伸びる第３の溝部１２７ｃと、該第３の溝部１２７ｃに連続し、外側に向かって傾斜しながら伸びる第４の溝部１２７ｄと、該第４の溝部１２７ｄに連続し、上記スライドプレート５９のスライド方向と平行に伸びる第５の溝部１２７ｅを備えている。
【００７５】
上記第１の溝部１２７ａに上記開閉操作ピン１２６が位置しているときは、該ピン１２６によって、上記ピン当接部１２５乃至第１，第２のローディングレバー９２，９３をコイルスプリング９４のばね力に抗して押圧し、これら第１，第２のローディングレバー９２，９３に設けたディスククランプ部９１，９１を離間させて、これらディスククランプ部９１，９１の間にディスクを挿入可能な状態にしている。
【００７６】
上記第２の溝部１２７ｂ内を上記開閉操作ピン１２６が移動すると上記ピン当接部１２５乃至第１，第２のローディングレバー９２，９３はコイルスプリング９４のばね力によって、これら第１，第２のローディングレバー９２，９３に設けたディスクロック部９１，９１を互いに接近する方向に移動させる。
【００７７】
上記第３の溝部１２７ｃに上記開閉操作ピン１２６が移動してくると、上記第１，第２のローディングレバー９２，９３のディスククランプ部９１，９１でディスクをクランプする。
【００７８】
上記第４の溝１２７ｄ内を上記開閉操作ピン１２６が移動すると、上記開閉操作ピン１２６で再び上記一対のディスククランプ部９１，９１を開き、第５の溝１２７ｅで上記一対のディスククランプ部９１，９１を開いた状態に維持する。
【００７９】
（７）ディスクホールド手段７の構成
ディスクホールド手段７は、上記ローディング手段６と記録再生手段８の間に介在されていて、上記ローディング手段６によって上記ローディング終了位置に移送されてきたディスクを一時的に載置し、上記ディスクのローディング終了位置（チャッキング開始位置）の位置精度を出してから上記記録再生手段８によって上記ディスクのチャッキングを行うものである。
【００８０】
図８に示したように、上記ディスクホールド手段７は、上記ローディングレバー９２，９３によってローディング終了位置に移送されてきたディスクの下端側の両側部を支持するＶ字状のディスク支持部１３１を一端部に設けた略Ｌ字状の第１，第２のディスク支持レバー１３２，１３３と、上記第１，第２のディスク支持レバー１３２，１３３の他端側を重ね合わせた状態で上記フレーム１０５に回動可能に取り付けている軸１３４と、該軸１３４に取り付けられていて、上記第１，第２のディスク支持レバー１３２，１３３に上記ディスク支持部１３１が下降する方向の回動力を付与している捩りコイルばね１３５と、上記第１のディスク支持レバー１３２に設けられた第１のカム係合ピン１３６と、上記第２のディスク支持レバー１３３に設けられた第２のカム係合ピン１３７と、上記第１，第２のカム係合ピン１３６，１３７が係合するカムプレート１３８とで構成されている。上記カムプレート１３８は上記スライドプレート５９に立設されている。
【００８１】
図１４に示したように、上記カムプレート１３８は、上記第１のカム係合ピン１３６が移動する第１〜第５のカム面１３８ａ〜１３８ｅと、上記第２のカム係合ピン１３７が移動する第６〜第１２のカム面１３８ｆ〜１３８ｌを備えている。
【００８２】
図１６に示すように、上記ロック手段３のテーブル係合部５１やディスク間隔押広手段５のディスク係合部８２、ローディング手段６のディスククランプ部９１が待機位置にあるときに、上記第１のカム係合ピン１３６は上記第１のカム面１３８ａの一端部に位置し、第２のカム係合ピン１３７は上記第６のカム面１３８ｆに位置していて、上記第１，第２のディスク支持レバー１３２，１３３は基本姿勢になっている。
【００８３】
上記カム７４が回転すると上記スライドプレート５９がスライドして上記カムプレート１３８の第６，第７のカム面１３８ｆ，１３８ｇの境界部が上記第２のカム係合ピン１３７の位置までくると、上記スライドプレート５９のスライドは停止する。上記第１，第２のディスク支持レバー１３２，１３３は、上記基本姿勢を保っている。
【００８４】
そして、この間におけるスライドプレート５９のスライドによって、上記ロック手段４のロックレバー５２が回動し、図１７に示したように、上記テーブル係合部５１で回転テーブル２１がロックされるとともに、上記ディスク間隔押広手段５のディスク係合部８２でディスク間隔が押し広げられる。また、上記スライドプレート５９の停止時の間におけるカム７４の回転による上記回動機構１０１の作動によって上記第１，第２のローディングレバー９２，９３が回動して図１８に示したようにディスククランプ部９１，９１をローディング開始位置側に移動させる。
【００８５】
上記ディスククランプ部９１，９１がローディング開始位置側に移動し終わると再びスライドプレート５９がスライドして、図１９に示すように第２のカム係合ピン１３７が上記第７のカム面１３８ｇを下降して第８のカム面１３８ｈの位置にくると上記スライドプレート５９のスライドは再び停止する。上記第２のカム係合ピン１３７の上記第８のカム面１３８ｈへの下降によって上記第２のディスク支持レバー１３３を僅かに回動させるとともに、上記ローディング手段６の開閉機構１２１，１２２が操作されて上記一対のディスククランプ部９１，９１を閉じてディスク２０１をクランプする。
【００８６】
上記スライドプレート５９の停止時におけるカム７４の回転によって上記ローディング手段６の回動機構１０１が操作されて、上記ディスク２０１をディスクク部９１，９１でクランプした第１，第２のローディングレバー９２，９３を回動させて、図２１に示したように、ローディング終了位置に移送する。
【００８７】
上記ローディング終了位置に移送されたディスク２０１の下方に上記第１，第２のディスク支持レバー１３２，１３３の一対のＶ字状のディスク支持部１３１，１３１が位置している。
【００８８】
上記ローディング手段６によるディスク２０１の移送を終了すると再び上記スライドプレート５９がスライドして、図２２に示したように、上記第１のカム係合ピン１３６の位置に第３のカム面１３８ｃが、また第２のカム係合ピン１３７の位置に第１０のカム面１３８ｊが移動してくると、上記第１，第２のディスク支持レバー１３２，１３３の先端のＶ字状のディスク支持部１３１，１３１を上記ディスク２０１の周面に近づける方向に移動させる。
【００８９】
そして、上記第３，第１０のカム面１３８ｃ，１３８ｊ上を第１，第２のカム係合ピン１３６，１３７が移動している間に上記ローディング手段６の開閉機構１２１，１２２が操作され、図２３に示したように、上記一対のディスククランプ部９１，９１が開いてクランプされていたディスク２０１は、上記第１，第２のディスク支持レバー１３２，１３３の先端のＶ字状のディスク支持部１３１，１３１上に載置されるのである。
【００９０】
そして、上記Ｖ字状のディスク支持部１３１，１３１上に載置されたディスクは図２４に示したように記録再生手段８にチャッキングされる。
【００９１】
更に上記スライドプレート５９がスライドすると、図２５に示したように、上記第１のカム係合ピン１３６は第４のカム面１３８ｄを経て第５のカム面１３８ｅに至り、第２のカム係合ピン１３７は第１１のカム面１３８ｋを経て第１２のカム面１３８ｌに至り、これら第１，第２のディスク支持レバー１３２，１３３は下側に向けて回動し上記記録再生手段８によりクランプされているディスク２０１と非接触状態になるのである。
【００９２】
（８）記録再生手段８の構成
記録再生手段８は、上記ディスクホールド手段７によって保持されているディスクをチャッキングして記録再生を行うものであり、図２６に示したように、ディスクテーブル１４１や光ピックアップ装置１４２等を設けた第１のフレーム部１４３と、上記ディスクテーブル１４１上にディスクをチャッキングさせるチャッキング用のクランパー１４４を設けた第２のフレーム部１４５を備えている。
【００９３】
上記第１，第２のフレーム部１４３，１４５は、上記ディスクテーブル１４１とクランパー１４４を対向させた状態で配置されていて、一端側がそれぞれ軸１４６，１４７によってフレーム支持体１４８に回動可能に取り付けられている。
【００９４】
上記第１のフレーム１４３の自由端側の上部には第１のカム係合ピン１５１が設けられていて、該カム係合ピン１５１は、上記カム７４の上面に設けられたカム溝１５２に係合されている。
【００９５】
上記第２のフレーム１４５の自由端側の下部には第２のカム係合ピン１５３が設けられていて、該カム係合ピン１５３は、上記スライドプレート５９に設けられたカム溝１５４に係合されている。
【００９６】
図１５に示したように、上記カム７４の上面のカム溝１５２は、第１の溝部１５２ａと、該第１の溝部１５２ａに連続する第２の溝部１５２ｂと、該第２の溝部１５２ｂに連続する第３の溝部１５２ｃを有している。
【００９７】
上記第１の溝部１５２ａは、上記カム７４の回転軸７６を中心にして同一円周状に形成されていて、該第１の溝部１５２ａ内を上記第１のカム係合ピン１５１が移動しているときには上記第１のフレーム１４３は回動しない。
【００９８】
上記第２の溝部１５２ｂは、上記回転軸７６から徐々に遠ざかるように形成されていて、該第２の溝部１５２ｂによって上記第１のフレーム１４３は、上記軸１４６を中心にして第２のフレーム１４５側に所定の角度回動するようになっている。
【００９９】
上記第３の溝部１５２ｃは、上記回転軸７６を中心にして同一円周状に形成されていて、該第３の溝部１５２ｃ内を上記第１のカム係合ピン１５１が移動しているときには、上記第１のフレーム１４３を所定の角度に回動させた状態に維持させるようになっている。
【０１００】
また、上記スライドプレート５９に設けられたカム溝１５４は、第１の溝部１５４ａと、該第１の溝部１５４ａに連続する第２の溝部１５４ｂと、該第２の溝部１５４ｂに連続する第３の溝部１５４ｃを備えている。
【０１０１】
上記第１の溝部１５４ａは、上記スライドプレート５９のスライド方向と平行に形成されていて、該溝部１５４ａ内を上記第２のカム係合ピン１５３が移動しているときには、上記第２のフレーム１４５を回動させない。
【０１０２】
上記第２の溝部１５４ｂは、上記スライドプレート５９の内側に向かって傾斜するように形成されていて、上記第２のフレーム１４５を第１のフレーム１４３側に回動させるようになっている。
【０１０３】
上記第３の溝部１５４ｃは、上記スライドプレート５９のスライド方向と平行に形成されていて、上記第２の溝部１５４ｂによって回動された第２のフレーム１４５を回動した状態に維持するようになっている。
【０１０４】
上記記録再生手段８は、上記ローディング手段６によってディスクがローディング終了位置に移送されてくると、上記カム７４の上面に設けたカム溝１５２の第２の溝部１５２ｂによって上記第１のフレーム１４３が第２のフレーム１４５側に向けて回動し始める。
【０１０５】
上記第１のフレーム１４３が所定の角度回動すると、今度は、上記スライドプレート５９に設けたカム溝１５４の第２の溝部１５４ｂによって第２のフレーム１４５が第１のフレーム１４３側に向けて回動し始める。そして、上記第１，第２のフレーム１４３，１４５が所定の角度づつ回動すると、図２７に示したように上記クランパー１４４がディスクテーブル１４１側にマグネット吸着されて、該ディスクテーブル１４１上にディスクがチャッキングされる。
【０１０６】
上記第１のフレーム１４３が回動し始めてからチャッキングに至るまでの間に、上記ディスクホールド手段７が作動して上記第１，第２のディスク支持レバー１３２，１３３の先端のＶ字状のディスク支持部１３１，１３１が上記ディスク２０１の外周に接近してディスクホールド態勢になるとともに上記ローディング手段６のディスククランプ部９１，９１が開き、ディスク２０１は上記第１，第２のディスク支持レバー１３２，１３３のＶ字状のディスク支持部１３１，１３１上載置された状態になっている。つまり、上記ディスクはローディング手段６のディスククランプ部９１，９１によるクランプを解除され、上記ディスクホールド手段７のディスク支持部１３１，１３１上に載置された状態で上記ディスクテーブル１４１上にクランパー１４４でチャッキングされることになるのである。
【０１０７】
そして、上記ディスク２０１がディスクテーブル１４１にチャッキングされたのちに、上記ローディング手段６のディスククランプ部９１，９１とディスクホールド手段８のディスク支持部１３１，１３１は共に上記ディスクと非接触状態を保つことができるようになるまで下降する。
【０１０８】
図１５において、１６１は上記カム７４を回転させるためのカム回転駆動機構である。上記カム回転駆動機構１６１は、上記カム７４の下端の外周面に設けられたギヤ歯１６２と噛合するカム駆動ギヤ１６３と、ギヤトレイン１６４と、駆動用ベルト１６５と、モータ１６６とを備えている。
【０１０９】
そして、上記モータ１６６により、駆動ベルト１６５、ギヤトレイン１６４を介して、上記カム駆動ギヤ１６３を回転させることにより、上記カム７４を回転させるようになっている。
【０１１０】
上記モータ１６６は、カム７４を時計方向、反時計方向に回転させることのできる正逆回転可能なモータが用いられている。
【０１１１】
（９）ディスク有無検出手段９の構成
ディスク有無検出手段９は、上記回転テーブル２１の第１〜第３００番地までのうちの所望の番地のディスク支持部２２にディスクが支持されているか否かを検出するためのものである。
【０１１２】
図２８に示したように、上記ディスク有無検出手段９は、発光部１７１と受光部１７２とからなるフォトセンサーで構成されている。
【０１１３】
上記発光部１７１は、上記回転テーブル２１の外周側に配置されていて、該発光部１７１から発射された検出光１７３は、上記回転テーブル２１のディスク支持部２２を構成するリブ２６，２６間および上記回転テーブル２１の円弧状面２５に設けられた切欠部１７４を経て受光部１７２に至るようになっている。
【０１１４】
そして、上記ディスク支持部２２にディスク２０１が支持されている場合には、該ディスク２０１によって、上記発光部１７１から発射された検出光１７３は遮断されて上記受光部１７２に至らずこれによって上記ディスク支持部２２にディスクが支持されていることを検出する。
【０１１５】
なお、回転テーブル２１の下面には、上記切欠部１７４を通過した検出光１７３が上記受光部１７２に至る間で拡散するのを防止するための検出光拡散防止リブ１７５が設けられている。また、上記発光部１７１と発光部１７２は、発光部ホルダ１７６と受光部ホルダ１７７によってそれぞれ位置調整可能にシャーシ１１上に取り付けられている。
（１０）番地検出手段１０の構成
番地検出手段１０は、上記回転テーブル２１の底面の第３の環状凸起２９に設けられた小番地用のスリット２９ａ…２９ａを検出する第１〜第３のフォトセンサ１８１〜１８３と、上記第２の環状凸起２８に設けられた第１〜第１０までの大番地用のスリット２８ａ〜２８ｊを検出する第４のフォトセンサ１８４を備えている。
【０１１６】
上記第１〜第３のフォトセンサ１８１〜１８３は、第３の環状凸起２９の回転方向に位相をもたせて配置されている。
【０１１７】
図３０は、第１〜第４のフォトセンサ１８１〜１８４によって検出された小番地用のスリットと大番地用のスリットの波形図である。
【０１１８】
図３０において、波形Ａは上記第１のフォトセンサ１８１によって検出された波形を示し、波形Ｂは第２のフォトセンサ１８２によって検出された波形を示し、波形Ｃは第３のフォトセンサ１８３によって検出された波形を示す。
【０１１９】
上記第１，第２のフォトセンサ１８１，１８２によって検出された波形ＡとＢを合成して得られた波形がＤ（Ａ＋Ｂ）であり、該波形ＤのＨ1ｇｈ−Ｈ1ｇｈの範囲に入るように回転テーブル２１を停止させるようになっている。
【０１２０】
また、Ｚは、第４のフォトセンサ１８４によって検出された第１の大番地用のスリット２８ａの波形であり、該波形ＺのＬOW−ＬOW間に１個のＨ1ｇｈ−Ｈ1ｇｈがあると、例えば第１の大番地として第１〜第３０番地までの領域が検出され、上記波形ＺのＬOW−ＬOW間に２個のＨ1ｇｈ−Ｈ1ｇｈがあると第２の大番地として第３１〜第６０番地までの領域が検出され、このようにして順次、第１０の大番地の第２７１〜第３００番地までの各領域が検出されるようになっている。
【０１２１】
そして、大番地の検出と小番地の両者の検出によって所望の番地のディスク支持部２２…２２に支持されているディスクをローディング手段の位置に搬送するようになっている。なお、図３０に示したように上記ディスク有無検出手段９によって検出された波形の位置にズレがある場合には、上記ディスク有無検出手段９を構成している発光部１７１及び／又は受光部１７２の位置を調整することにより波形のズレを補正するようになっている。また、隣接するディスク支持部からの検出光の洩れによる誤検出が、上記回転テーブル２１の下面に設けた検出光拡散防止リブ１７５…１７５によって制御されている。
【０１２２】
（１１）ディスク排出手段１９の構成
図３１〜３３に示すように上記ディスク排出手段１９は、上記回転テーブル２１の下部のシャーシ１１上に配置されていて、上記ディスク支持部２２の底面に設けた切欠部１７４からディスク押圧用の凸部１９１が上記ディスク支持部２２内に侵入して、該支持部２２内のディスク２０１の最下端部よりも内側を僅かに押し上げて、該ディスク２０１を両側部のディスク２０１よりも外側に突出させるようになっている。
【０１２３】
ディスク排出手段１９は、上記ディスク支持部２２の底部に設けた切欠部１７４から上記支持部２２内に侵入して上記ディスク２０１を押し出すディスク押圧用の凸部１９１を有する押出レバー１９２と、該押出レバー１９２を上記ディスク押圧用の凸部１９１が上記支持部２２内に侵入するように操作するとともに上記支持部２２内から抜け出す押出レバー操作部１９３を備えている。
【０１２４】
上記押出レバー１９２は、一端側に上記凸部１９１を有し、他端側が軸１９４により回動可能に支持されていて、上記押出レバー操作部１９３によって上記軸１９４を中心にして一方向に回動させることにより上記凸部１９１が上記支持部２２内に侵入し、他方向に回動させることにより上記凸部１９１が上記支持部２２及び切欠部１７４内から抜け出るようになっている。
【０１２５】
図３２、図３３に示したように、上記押出レバー操作部１９３は、上記凸部１９１が上記支持部２２内に侵入する方向の回動力を上記押出レバー１９２に付与している付勢部材１９５と、該付勢部材１９５の付勢力に抗して上記押出レバー１９２を上記凸部１９１が上記支持部２２及び切欠部１７４から抜け出る方向に回動させるスライドレバー１９６と、該スライドレバー１９６をスライドさせるスライドレバー駆動機構１９７とを備えている。
【０１２６】
上記スライドレバー１９６は、スライドガイド用の長孔１９６ａとガイドピン１９６ｂによってベースプレート１９６ｃ上に矢印Ａ−Ｂ方向にスライド可能に取り付けられている。
【０１２７】
上記スライドレバー駆動機構１９７は、モータ１９７ａと、該モータ１９７ａによって駆動されるベルト１９７ｂと、該ベルト１９７ｂによって駆動されるギヤトレイン１９７ｃと、該ギヤトレイン１９７ｃによって回転されるカム１９７ｄと、該カム１９７ｄの上面に設けたカム溝１９７ｅにカム係合ピン１９７ｆが挿入されていて、上記カム１９７ｄの回転によって軸１９７ｇを支点にして回動する回動レバー１９７ｈを備えている。
【０１２８】
上記回動レバー１９７ｈの先端は、ピン１９７ｉ及び長孔１９７ｊを介して、上記スライドレバー１９６に連結されている。
【０１２９】
そして、上記回動レバー１９７ｈの回動により上記スライドレバー１９６を矢印Ａ−Ｂ方向にスライドさせるようになっている。
【０１３０】
図３１に示すように、上記スライドレバー１９６は、上記押出レバー１９の一端部に設けられたカム当接部１９８が上記付勢部材１９５の付勢力によって圧接されているカム１９９を有している。
【０１３１】
上記カム１９９は、水平状の第１のカム面１９９ａと、該第１のカム面１９９ａに連続する上り勾配状の第２のカム面１９９ｂと、該第２のカム面１９９ｂの上端に連続する水平状の第３のカム面１９９ｃを有している。
【０１３２】
図３１に示すように、上記カム１９９が最もＡ方向にスライドしている状態においては、上記第３のカム面１９９ｃ上に上記カム当接部１９８が位置していて、上記押出レバー１９２の凸部１９１は、上記支持部２２及び切欠部１７４から抜け出て上記回転テーブル２１と非接触状態になっている。
【０１３３】
上記スライドレバー１９６が矢印Ｂ方向にスライドすると上記第２のカム面１９９ｂによって上記凸部１９１が上昇する方向に押出レバー９２が上記付勢部材１９５の付勢力に抗して回動する。
【０１３４】
そして、上記スライドレバー１９６が更に矢印Ｂ方向によってスライドして図３２に示したように、上記カム当接部１９８が第１のカム面１９９ａに当接する位置にくると上記凸部１９１は、上記支持部２２内に侵入して、該支持部２２内に支持されているディスク２０１の下端を押し上げて上記ディスク２０１を他のディスクよりも外側に突出させて、これを取り出し易くするのである。
【０１３５】
なお、上記カム当接部１９８が上記第３のカム面１９９ｃに乗り上げた状態において、上記スライドレバー１９６は付勢部材１９５によって矢印Ｂ方向へのスライド力を付与されて、長孔１９６ａの一端側が上記ベースプレート１９６ｃのガイドピン１９６ｂに押し付けられて、上記凸部１９１が上記支持部２２及び切欠部１７４から抜け出た状態を保つようになっている。
【０１３６】
上記ディスク排出手段１９は、制御手段によってその駆動を制御されるようになっている。なお、上記ディスク排出手段１９によるディスクの突出量Ｄは、上記支持部２２内に侵入する凸部１９１の高さを変えることにより調整することができるようになっている。
【０１３７】
（１２）作用
図３４は、上記カム７４の下面，周面，上面に設けたカム溝７５，７７，１５２、スライドプレート５９に設けられたカム溝１２７，１５４、カム面１３８等の関係を示すカム線である。
【０１３８】
上記カム７４の底面に設けたカム溝７５の第１の溝部７５ａにスライドプレート５９のカム係合ピン７３が位置し、周面に設けたカム溝７７の第１の溝部７７ａに上記ローディング手段６の回動機構１０１のカム係合ピン１１２が位置している状態においては、第１６図に示す待機状態になっている。
【０１３９】
記録再生を行う場合には、制御パネルを記録再生モードにして所望の番地をインプットして上記スイッチＳＷ１をオンすると上記回転テーブル２１が回転し、所望の番地にディスクが支持されているか否かがディスク有無検出手段９によって検出されるとともに、番地検出手段１０によって検出された番地のディスク支持部が上記ローディング手段６の位置にくると上記回転が停止する。
【０１４０】
そして、上記カム７４の回転によってスライドプレート５９がスライドすると図１７に示したように、スライドプレート５９に設けたロックレバー支持部６０によってロック手段４のロックレバー５２がロック方向に回動し、テーブル係合部５１が回転テーブル２１のギヤ歯３１…３１に係合して、回転テーブル２１を回転不可能にロックするとともに、上記ディスク間隔押広手段５のディスク係合部８２が上記所望の番地のディスク２０１の両側部の番地のディスク間隔を押広げたのちに上記スライドプレート５９は停止する。
【０１４１】
上記スライドプレート５９が停止している間におけるカム７４の回転によって、上記ロック手段６の回動機構１０１が作動して、図１８に示したように上記第１，第２のローディングレバー９２，９３が回動してその先端のディスククランプ部９１，９１が回転テーブル２１のディスク支持部２２に支持されている所望のディスク２０１の位置つまりローディング開始位置に移動してきて、これらディスククランプ部６１，６１の間に上記所望のディスク２０１が導入される。
【０１４２】
次に、上記スライドプレート５９が再びスライドし、図１９に示したように上記ロック手段４により回転テーブル２１はロックされ、ディスク間隔押広手段５によってディスク間隔が押し広げられたままの状態で、上記ローディング手段６の開閉機構１２１，１２２が作動して、図２０に示したように上記一対のディスククランプ部９１，９１間が閉じて、上記所望のディスク２０１をクランプしてスライドプレート５９は停止する。
【０１４３】
上記スライドプレート５９が停止している間に上記ローディング手段６の回動機構１０１が作動して、図２１に示したように上記第１，第２のローディングレバー９２，９３が回動し、上記一対のディスククランプ部９１，９１及び該クランプ部９１，９１によってクランプされたディスク２０１をローディング終了位置に移送する。
【０１４４】
上記ローディング終了位置に移送されたディスク２０１の一端側は、上記回転テーブル２１上の両側部のディスクの間に挿入されたままの状態になっているが、両側部のディスクとは、上記ディスク間隔押広手段５のディスク係合部８２によって非接触状態に保たれているとともに、該ディスク係合部８２とも非接触状態に保たれている。
【０１４５】
上述のように所望ディスク２０１がローディング終了位置に搬送されてくると再びスライドプレート５９がスライドを始めて、図２２に示したように、上記ディスクホールド手段７のディスク支持レバー１３２，１３３が起立する方向に回動し、これらディスク支持レバー１３２，１３３の先端に設けたＶ字状のディスク支持部１３１，１３１が上記ローディング終了位置にあるディスク２０１の下端側の外周部に接近するとともに、上記記録再生手段８の第１のフレーム部１４３と第２のフレーム部１４５が互いに接近し始める。
【０１４６】
そして、上記第１，第２のフレーム部１４３，１４５が所定の位置まで接近すると、上記ローディング手段６の開閉機構１２１，１２２が作動し、図２３に示したように上記ディスククランプ部９１，９１が開いて上記ディスク２０１のクランプを解除する。
【０１４７】
上記クランプを解除されたディスク２０１は、上記ディスクホールド手段７の一対のＶ字状のディスク支持部１３１，１３１上に落下し、これらディスク支持部１３１，１３１上に載置される。
【０１４８】
そして、上記記録再生手段８の第１，第２のフレーム部１４３，１４５が更に接近すると、上記ディスクテーブル１４１にクランパー１４４が磁気吸引され、図２４に示したように上記ディスク２０１はディスクテーブル１４１上にチャッキングされるのである。
【０１４９】
そして、上記ディスク２０１が記録再生手段８にチャッキングされると図２５に示したように上記ディスクホールド手段７の第１，第２のディスク支持レバー１３２，１３３は外側に向けて下降するように回動して上記ディスク２０１と非接触状態になるとともに、上記ローディング手段６の第１，第２のローディングレバー９２，９２もディスククランプ部９１，９１を開きながら、上記ディスク２０１と離れる方向に回動し、上記ディスク２０１が上記ディスク間隔押広手段５やローディング手段６，ディスクホールド手段７に接触しない状態で回転して、上記記録再生手段８によりディスク２０１の記録及び／又は再生が行われる。
【０１５０】
記録再生終了後は、上記カム７４を逆転させると上記ローディング時と逆の動作によって、上記ディスク２０１が回転テーブル２１側に戻されるとともに、ロック手段４やディスク間隔押広手段５，ロック手段６，ディスクホールド手段７等は図１６に示した待機位置に戻されるのである。また、所望の番地のディスクを取り出す場合には制御パネルをディスク取出モードにして上記所望の番地をインプットして排出スタートボタンを押すと上記回転テーブル２１が回転して上記番地検出手段１０によって検出された所望の番地のディスク支持部２２が上記ディスク排出手段１９の略真上にきて停止してロックされる。
【０１５１】
そして、上記ディスク排出手段１９のスライドレバー駆動機構１９７が作動し、上記スライドレバー１９６がスライドして、上記押出レバー１９２が上記付勢部材１９５の付勢力によって回動し、上記凸部１９１が上記支持部２２内に侵入して、ディスク２０１の下端を押し上げて、該ディスク２０１を図３２に示したように他のディスクよりも外側に押し出して取り出しやすいものになる。
【０１５２】
そこで、上記ディスク２０１を取り出し、必要に応じて新しいディスクを上記支持部２２内に侵入して、上記排出終了ボタンを押すと上記スライドレバー駆動機構１４７が再び作動して、上記スライドレバー１９６を上記排出方向と反対方向にスライドさせて、上記押出レバー１９２を上記付勢部材１９５の付勢力に抗して回動させて、上記凸部１９１を上記支持部２２及び切欠部１７４から抜き出した状態にロックするのであ。
（１３）変形例
上記実施例においては、ディスク排出手段１９の押出レバー１９２を回動させて、該レバー１９２の先端に設けた凸部１９１を支持部２２内に挿入する構成にしたが、上記押出レバー１９２は必ずしも回動させる必要はなく直進運動によってその先端に設けた凸部１９１を上記支持部２２内に挿入する構成としてもよい。また、レバー操作部１９３も実施例のものに限定されず要は押出レバー１９２を簡単な構成で確実、容易に操作できるものであればよい。
【０１５３】
【発明の効果】
本発明には次に述べるような効果がある。
（１）ディスク支持部の底部に設けた切欠部からディスク排出手段のディスク押出用の凸部を侵入させ、該凸部によって上記支持部内に収容されているディスクを持ち上げるようにして上記支持部から押し出すことができる。
（２）押出レバーをレバー操作部によって操作して上記切欠部から支持部内に侵入させることにより該支持部からディスクを容易かつ確実に押し出すことができる。
（３）押出レバーを軸を中心にして回動させる構成にしたので上記切欠部を介しての支持部への押出レバーの挿入、抜き出しをより容易、確実に行うことができる。
（４）押出レバーでディスクを持ち上げると、該ディスクは自ずと上記支持部の外周側に所定量押し出されてくるので、その後は指先等で容易に上記支持部から取り出すことができる。
【図面の簡単な説明】
【図１】要部の斜視図。
【図２】要部の平面図。
【図３】要部の拡大平面図。
【図４】要部の側面図。
【図５】ディスク支持部の拡大正面図。
【図６】回転テーブルの底面図。
【図７】シャーシの平面図。
【図８】要部の分解斜視図。
【図９】ロック手段の側面図（ロック前）。
【図１０】ロック手段の側面図（ロック後）。
【図１１】カムの底面図。
【図１２】カムの周面の展開図。
【図１３】スライドプレートの平面図。
【図１４】スライドプレートに設けられたカムプレートの側面図。
【図１５】カムとスライドプレートの平面図。
【図１６】待機状態の要部の側面図。
【図１７】ロック状態の要部の側面図。
【図１８】ディスククランプ部が移動した状態の側面図。
【図１９】ディスククランプ部がディスクをクランプした状態の側面図。
【図２０】ディスククランプ部がディスクをクランプした状態の正面図。
【図２１】ディスクの搬送が終了した状態の側面図。
【図２２】ディスククランプ部によるディスクのクランプが解除された状態の側面図。
【図２３】同正面図。
【図２４】ディスクが記録再生手段にチャッキングされた状態の側面図。
【図２５】ディスクホールド手段が下降した状態の側面図。
【図２６】記録再生手段の平面図（チャッキング前）。
【図２７】記録再生手段の平面図（チャッキング後）。
【図２８】ディスク有無検出手段、番地検出手段部分を示す断面図。
【図２９】番地検出手段の平面図。
【図３０】波形図。
【図３１】ディスク排出手段の面図（排出前）。
【図３２】ディスク排出手段の面図（排出後）。
【図３３】ディスク排出手段の面図（排出後）。
【図３４】カム線図。
【図３５】従来例の平面図。
【符号の説明】
１…記録再生装置、２…ディスク収容手段、３…搬送手段、４…ロック手段、５…ディスク間隔押広手段、６…ローディング手段、７…ディスクホールド手段、８…記録再生手段、１９…ディスク排出手段、１９１…凸部、１９２…押出レバー、１９３…操作部。
【図１】
0003951500.tif 000002
【図２】
0003951500.tif 000003
【図３】
0003951500.tif 000004
【図４】
0003951500.tif 000005
【図５】
0003951500.tif 000006
【図６】
0003951500.tif 000007
【図７】
0003951500.tif 000008
【図８】
0003951500.tif 000009
【図９】
0003951500.tif 000010
【図１０】
0003951500.tif 000011
【図１１】
0003951500.tif 000012
【図１２】
0003951500.tif 000013
【図１３】
0003951500.tif 000014
【図１４】
0003951500.tif 000015
【図１５】
0003951500.tif 000016
【図１６】
0003951500.tif 000017
【図１７】
0003951500.tif 000018
【図１８】
0003951500.tif 000019
【図１９】
0003951500.tif 000020
【図２０】
0003951500.tif 000021
【図２１】
0003951500.tif 000022
【図２２】
0003951500.tif 000023
【図２３】
0003951500.tif 000024
【図２４】
0003951500.tif 000025
【図２５】
0003951500.tif 000026
【図２６】
0003951500.tif 000027
【図２７】
0003951500.tif 000028
【図２８】
0003951500.tif 000029
【図２９】
0003951500.tif 000030
【図３０】
0003951500.tif 000031
【図３１】
0003951500.tif 000032
【図３２】
0003951500.tif 000033
【図３３】
0003951500.tif 000034
【図３４】
0003951500.tif 000035
【図３５】
0003951500.tif 000036